(57)【要約】【課題】昇降路に案内レールを容易に見栄えよく立設することができるエレベーターの案内レール装置を得る。【解決手段】案内レール２を支持するファスナー６、座板１１、ブラケット１４の幅を案内レール２の基部３幅に対応した寸法に形成する。これにより、ファスナー６、座板１１、ブラケット１４等の構造物、また締結具１９が案内レール２の基部３の後ろに隠れて、昇降路１に立設した案内レール２を案内部４側から見た場合の見栄えを向上する。また、締結具１９をブラケット１４の長穴を介して座板１１に締結する。このため建物の階間距離が縮小したときに、案内レール２の締結箇所において縮小変位を吸収でき、案内レール２が蛇行状態になることを防止できる。【選択図】　　　　図１
2004075328.tif 000002
【特許請求の範囲】
【請求項１】
昇降路に立設された案内レールと、上記昇降路に設けられて長手端面が水平投影面において上記案内レールの基部背面に対向して配置され、上記基部幅に対応した幅に形成されたファスナーと、上記基部幅に対応した幅に形成されて上記基部背面の上記ファスナーとの対向部位に溶接された座板と、上記基部幅に対応した幅をなす板材が屈折されてＬ字状をなし、Ｌ字の一辺が上記ファスナーの上記基部との対向部位に溶接され、Ｌ字の他辺は上記座板に対面して配置されたブラケットと、このブラケットのＬ字の他辺に設けられて長手が上下方向に配置された長穴に挿通されて上記座板にねじ込まれた締結具とを備えたエレベーターの案内レール装置。
【発明の詳細な説明】
【０００１】
【発明の属する技術分野】
この発明は、主として展望用エレベーターの昇降路に立設される案内レールを対象としたエレベーターの案内レール装置に関する。
【０００２】
【従来の技術】
図６及び図７は、従来のエレベーターの案内レール装置を示す図で、図６は昇降路に立設された案内レールの要部斜視図、図７は図６の案内レールの背面側の斜視図である。図において、１はエレベーターの昇降路、２は昇降路１に立設された案内レールで、横断面Ｔ字状をなし基部３及び基部３から突出した案内部４が設けられている。
【０００３】
５は昇降路１を構成した建築梁、６はファスナーで、案内レール２の基部３幅に対応した幅に形成されて一側がファスナー６に溶接され、他側は基部３背面に対向して配置されている。７はブラケットで、基部３幅に対応した幅をなす板材が屈折されてＬ字状をなし、Ｌ字の一辺８がファスナー６の基部３との対向部位に溶接され、Ｌ字の他辺９は基部３背面に対面して配置されている。１０は締結具で、案内レール２の基部３及びブラケット７の他辺９に挿通されたボルト、このボルトの挿通端にねじ込まれたナットによって構成されている。
【０００４】
従来のエレベーターの案内レール装置は上記のように構成され、主として展望用エレベーターの昇降路１における案内レール２の立設手段として使用される。すなわち、ファスナー６、ブラケット７の幅が案内レール２の基部３幅に対応した寸法に形成される。これにより、案内レール２を案内部４側から見た場合に、ファスナー６、ブラケット７等の構造物が基部３の後ろに隠れて見栄えをよくするように設計されている。
【０００５】
【発明が解決しようとする課題】
上記のような従来のエレベーターの案内レール装置では、案内レール２を案内部４側から見た場合に締結具１０が露出して見栄えが損なわれるという問題点があった。また、案内レール２に締結具１０用の貫通孔が設けられるので据付工事における案内レール２の立設位置順位に関わる管理が煩雑になる。さらに、エレベーターが設置される建物の階間距離が建物の自重のために縮小したときに、案内レール２とブラケット７との締結箇所において縮小変位を吸収することができず、案内レール２が上下方向において蛇行した状態になる。
【０００６】
この発明は、かかる問題点を解消するためになされたものであり、昇降路に案内レールを容易に見栄えよく立設することができるエレベーターの案内レール装置を得ることを目的とする。
【０００７】
【課題を解決するための手段】
この発明に係るエレベーターの案内レール装置においては、昇降路に立設された案内レールと、昇降路に設けられて長手端面が水平投影面において案内レールの基部背面に対向して配置され、案内レールの基部幅に対応した幅に形成されたファスナーと、案内レールの基部幅に対応した幅に形成されて案内レールの基部背面のファスナーとの対向部位に溶接された座板と、案内レールの基部幅に対応した幅をなす板材が屈折されてＬ字状をなし、Ｌ字の一辺がファスナーの案内レールの基部との対向部位に溶接され、Ｌ字の他辺は座板に対面して配置されたブラケットと、このブラケットのＬ字の他辺に設けられて長手が上下方向に配置された長穴に挿通されて座板にねじ込まれた締結具とが設けられる。
【０００８】
【発明の実施の形態】
実施の形態１．
図１〜図５は、この発明の実施の形態の一例を示す図で、図１は昇降路に立設された案内レールの要部斜視図、図２は図１の座板の正面図、図３は図１のブラケットの平面図、図４は図３の正面図、図５は図１のブラケットを撤去して示す図１相当図である。図において、１はエレベーターの昇降路、２は昇降路１に立設された案内レールで、横断面Ｔ字状をなし基部３及び基部３から突出した案内部４が設けられている。
【０００９】
６はファスナーで、昇降路１を構成した建築梁に連結され、案内レール２の基部３幅に対応した幅に形成されている。１１は座板で、案内レール２の基部３幅に対応した幅に形成されて案内レール２の基部３背面におけるファスナー６との対向部位に溶接され、上縁部側に互いに離れて配置されたねじ孔１２及び下縁部寄りに溶接用貫通孔１３が設けられている。
【００１０】
１４はブラケットで、基部３幅に対応した幅をなす板材が屈折されてＬ字状をなし、Ｌ字の一辺１５がファスナー６の案内レール２基部３との対向部位に溶接され、Ｌ字の他辺１６は基部３背面に対面して配置され、一辺１５の幅方向の両側に溶接用の狭幅部１７が設けられ、また他辺１６には幅方向に互いに離れ、かつ長手が上下方向に配置された長穴１８が設けられている。１９はボルトからなる締結具で、ブラケット１４の長穴１８に挿通されて座板１１のねじ孔１２にねじ込まれている。
【００１１】
上記のように構成されたエレベーターの案内レール装置は、主として展望用エレベーターの昇降路１における案内レール２の立設手段として使用される。すなわち、ファスナー６、座板１１、ブラケット１４の幅が案内レール２の基部３幅に対応した寸法に形成される。これにより、案内レール２を案内部４側から見た場合に、ファスナー６、座板１１、ブラケット１４等の構造物を基部３の後ろに隠すことができて昇降路１に案内レール２を容易に見栄えよく立設することができる。
【００１２】
また、締結具１９が案内レール２の案内部４に露出しないので、案内レール２を案内部４側における見栄えをさらに向上することができる。また、座板１１とブラケット１４の間にスペーサ（図示しない）を挿入してブラケット１４に対する案内レール２の立設位置を調整することができる。また、案内レール２に締結具１９用の貫通孔が設けられないので据付工事において案内レール２の立設位置順位を管理する必要がなく、据付工事現場において案内レールを容易に管理することができる。
【００１３】
また、締結具１９がブラケット１４の長穴１８に挿通されて座板１１のねじ孔１２にねじ込まれるので、エレベーターが設置される建物の階間距離が建物の自重のために縮小したときに、案内レール２とブラケット１４との締結箇所においてブラケット１４の長穴１８によって縮小変位を吸収することができ、案内レール２が上下方向において蛇行状態になることを防止することができる。
なお、締結具１９の本数、サイズを適宜に設定することによって、所要の締結力を容易に得ることができる。
【００１４】
【発明の効果】
この発明は以上説明したように、昇降路に立設された案内レールと、昇降路に設けられて長手端面が水平投影面において案内レールの基部背面に対向して配置され、案内レールの基部幅に対応した幅に形成されたファスナーと、案内レールの基部幅に対応した幅に形成されて案内レールの基部背面のファスナーとの対向部位に溶接された座板と、案内レールの基部幅に対応した幅をなす板材が屈折されてＬ字状をなし、Ｌ字の一辺がファスナーの案内レールの基部との対向部位に溶接され、Ｌ字の他辺は座板に対面して配置されたブラケットと、このブラケットのＬ字の他辺に設けられて長手が上下方向に配置された長穴に挿通されて座板にねじ込まれた締結具とを設けたものである。
【００１５】
これによって、ファスナー、座板、ブラケットの幅が案内レールの基部幅に対応した寸法に形成される。このため、ファスナー、座板、ブラケット等の構造物、また締結具が基部の後ろに隠れて、昇降路に立設された案内レールを案内部側から見た場合の見栄えを向上する効果がある。　また、締結具がブラケットの長穴に挿通されて座板にねじ込まれるので、エレベーターが設置される建物の階間距離が建物の自重のために縮小したときに、案内レールとブラケットとの締結箇所においてブラケットの長穴によって縮小変位を吸収することができ、案内レールが上下方向において蛇行状態になることを防止する効果がある。
【図面の簡単な説明】
【図１】この発明の実施の形態１を示す図で、昇降路に立設された案内レールの要部斜視図。
【図２】図１の座板の正面図。
【図３】図１のブラケットの平面図。
【図４】図３の正面図。
【図５】図１のブラケットを撤去して示す図１相当図。
【図６】従来のエレベーターの案内レール装置を示す図で、昇降路に立設された案内レールの要部斜視図。
【図７】図６の案内レールの背面側の斜視図。
【符号の説明】
１　昇降路、２　案内レール、３　基部、６　ファスナー、１１　座板、１４ブラケット、１５　一辺、１６　他辺、１８　長穴、１９　締結具。
【図１】
2004075328.tif 000003
【図２】
2004075328.tif 000004
【図３】
2004075328.tif 000005
【図４】
2004075328.tif 000006
【図５】
2004075328.tif 000007
【図６】
2004075328.tif 000008
【図７】
2004075328.tif 000009